(57)【要約】【課題】光ピックアップを案内するメインガイドシャフトの高さを精度良くする。【解決手段】光ディスク回転駆動用のスピンドルモータ１３を支持したモータベース１６をメカシャーシ１１に取り付け、且つ、光ピックアップ１７を長尺なメインガイドシャフト２４と該メインガイドシャフト２４に対して略平行なサブガイドシャフト２５とで案内しながら光ディスクの半径方向に移動させる際、長尺なメインガイドシャフト２４は、一端２４ａ側の外周面をモータベース１６上に当接させて一端２４ａ側の高さを規制し、且つ、一端２４ａ側の外周面をモータベース１６上に回転可能に植設した円錐面付きネジ部材２８の円錐面２８ｂに当接させて板バネ２７で該円錐面２８ｂ側に押圧しながら他端２４ｂ側を回動支点として長手方向と略直交する方向に位置調整すると共に、他端２４ｂ側をメカシャーシ１１に高さ調整可能に支持した光ディスクドライブ装置１０を提供する。【選択図】図５
2006286127.tif 000002
【特許請求の範囲】
【請求項１】
光ディスクを載置するためのターンテーブルをモータ軸に固着して回転駆動するスピンドルモータを支持したモータベースと、
前記光ディスクに情報信号を記録及び／又は再生するための光ピックアップと、
前記光ピックアップを長尺なメインガイドシャフトと該メインガイドシャフトに対して略平行なサブガイドシャフトとで案内しながら前記光ディスクの半径方向に移動させる駆動源を有するスレッド機構部と、
前記モータベースと前記スレッド機構部とを取り付けるメカシャーシとを備えた光ディスクドライブ装置において、
前記長尺なメインガイドシャフトは、一端側の外周面を前記モータベース上に当接させて前記一端側の高さを規制し、且つ、前記一端側の外周面を前記モータベース上に回転可能に植設した円錐面付きネジ部材の円錐面に当接させて板バネで該円錐面側に押圧しながら他端側を回動支点として前記一端側を前記メインガイドシャフトの長手方向と略直交し且つ前記モータベースの上面に沿う方向に位置調整すると共に、前記一端側を回動支点にして前記他端側を前記メインガイドシャフトの長手方向と略直交し且つ前記メカシャーシの上面及び前記モータベースの上面に対して接離する方向に高さ調整可能に支持したことを特徴とする光ディスクドライブ装置。
【請求項２】
請求項１記載の光ディスクドライブ装置において、
前記長尺なメインガイドシャフトの一端側の高さを規制し、且つ、前記メインガイドシャフトの他端側を高さ調整する時の回動支点として機能するために断面が矩形状の凸部又は先端がＲ状のＲ部を前記モータベース上に突出形成したことを特徴とする光ディスクドライブ装置。
【発明の詳細な説明】
【技術分野】
【０００１】
本発明は、光ピックアップを用いて光ディスクに情報信号を記録及び／又は再生する際に、光ピックアップを光ディスクの半径方向に案内するメインガイドシャフトとサブガイドシャフトとを備え、メインガイドシャフトの一端側を光ディスク回転駆動用のスピンドルモータを支持したモータベース上に当接さて一端側の高さを規制し、且つ、メインガイドシャフトの一端側を他端側を回動支点にして長手方向と略直交する方向に位置調整すると共に、メインガイドシャフトの他端側をモータベースを取り付けたメカシャーシに高さ調整可能に支持して構成した光ディスクドライブ装置に関するものである。
【背景技術】
【０００２】
一般的に、光ディスクは、音楽情報，映像情報，あるいはその他のデータなどを大容量に記録及び／又は再生でき、且つ、所望の情報を高速にアクセスできることから多用されているが、光ピックアップを用いて光ディスクに情報信号を記録及び／又は再生する際に、光ピックアップを光ディスクの半径方向に案内するメインガイドシャフトとサブガイドシャフトとを備え、メインガイドシャフトの一端側を光ディスク回転駆動用のスピンドルモータを支持したモータベース上で位置決めするように構成したディスク装置が開示されている（例えば、特許文献１参照）。
【特許文献１】特開平１１−６６７６７号公報。
【０００３】
図９は従来のディスク装置を示した平面図、
図１０は従来のディスク装置において、光ディスク回転駆動用のスピンドルモータを支持したモータベース近傍を拡大して示した縦断面図、
図１１は従来のディスク装置において、光ピックアップの対物レンズから出射させた３点ビームが基準位置に位置する状態を説明するための図である。
【０００４】
図９に示した従来のディスク装置１００は、上記した特許文献１（特開平１１−６６７６７号公報）に開示されているものであり、ここでは特許文献１を参照して簡略に説明する。
【０００５】
図９に示した如く、従来のディスク装置１００では、メカシャーシ１０１の上面１０１ａ上の右方に、光ディスクＤを搭載するためのターンテーブル１０２をモータ軸１０３ａに固着して光ディスクＤを回転駆動するスピンドルモータ１０３を支持したモータベース１０４が複数本のネジ１０５を用いて取り付けられている。
【０００６】
また、メカシャーシ１０１上でターンテーブル１０２に搭載された光ディスクＤの図示左側の下方には、光ディスクＤに情報信号を記録及び／又は再生するための光ピックアップ１０６がメインガイドシャフト１０８とこのメインガイドシャフト１０８に対して略平行なサブガイドシャフト１０９とにより光ディスクＤの半径方向に案内されて移動自在に取り付けられている。
【０００７】
この際、光ピックアップ１０６は内部に取り付けた対物レンズ１０７からメインビームと２つのサブビームからなる３点ビームを光ディスクＤに照射しているので、３点ビームで光ディスクＤの信号トラック（図示せず）に対してトラッキング制御とフォーカス制御とをかけながら情報信号を記録及び／又は再生している。
【０００８】
また、光ピックアップ１０６を案内するメインガイドシャフト１０８及びサブガイドシャフト１０９のうちでメインガイドシャフト１０８側には、光ピックアップ１０６に一体的に取り付けたラック部（図示せず）に噛合するスレッド機構部（図示せず）が取り付けられている。
【０００９】
この際、図９及び図１０に示したように、メインガイドシャフト１０８の両端部は、メカシャーシ１０１の上面１０１ａの左右にそれぞれ切り越した切越片１０１ｂ，１０１ｃと、各切越片１０１ｂ，１０１ｃ近傍に設けたビス１１０，１１１の各ビス頭とに当接して押圧されることにより位置決めされている。
【００１０】
一方、光ピックアップ１０６を案内するサブガイドシャフト１０９は、メインガイドシャフト１０８に対して間隔を離して略平行にメカシャーシ１０１上に取り付けられている。
【００１１】
更に、モータベース１０４の上面１０４ａ上でメカシャーシ１０１の右側に切り越した切越片１０１ｃの近傍には折曲片１０４ｂが略Ｌ字状に折り曲げ形成されており、この折曲片１０４ｂをメインガイドシャフト１０８の右側の外周面に当接させることで、メインガイドシャフト１０８の長手方向と略直交する方向に対して位置決めしている。
【００１２】
そして、上記構成による従来の光ディスク装置１００を適用した時に、図１１に示した如く、光ピックアップ１０６の対物レンズ１０７（図９）から出射したメインビームＭＢが光ディスクＤ（図９）の中心Ｏを通り且つ光ディスクＤ上の信号トラックＴＲに接した接線Ｌ１と直交するＸ軸上に沿って移動し、且つ、２つのサブビームＳＢ１，ＳＢ２が接線Ｌ１に対してα傾斜した線Ｌ２上でメインビームＭＢを中心にしてそれぞれ上下に位置するように、モータベース１０４に形成した折曲片１０４ｂをメインガイドシャフト１０８の右側の外周面に当接させることで、メインガイドシャフト１０８がＸ軸と直交するＹ軸方向に位置決めされるので、光ディスク回転駆動用のスピンドルモータ１０３とメインガイドシャフト１０８との相対的な距離が一定に保持される旨が開示されている。
【発明の開示】
【発明が解決しようとする課題】
【００１３】
ところで、上記した従来のディスク装置１００おいて、メインガイドシャフト１０８はメカシャーシ１０１の上面１０１ａ上に取り付けられているので、メインガイドシャフト１０８の高さはメカシャーシ１０１の上面１０１ａで決められてしまう。
【００１４】
この際、図１０に示したように、メカシャーシ１０１の上面１０１ａからターンテーブル１０２のディスク搭載面１０２ａまでの高さＨ１は、モータベース１０４の上面１０４ａからターンテーブル１０２のディスク搭載面１０２ａまでの高さＨ２の誤差とモータベース１０４の板厚Ｔの誤差（バラッキ）とを合わせた合計の誤差により変動してしまうので、これに伴って、メインガイドシャフト１０８に支持される光ピックアップ１０６の高さ方向の寸法も変動してしまうために光ディスクＤに３点ビームを良好に照射できないなどの問題が発生する。
【００１５】
更に、メインガイドシャフト１０８の右側をモータベース１０４に形成した折曲片１０４ｂに当接させることで、メインガイドシャフト１０８がＸ軸と直交するＹ軸方向に位置決めされるとの記載があるものの、上記した折曲片１０４ｂによる一点だけの当接だけではメインガイドシャフト１０８の長手方向（Ｘ軸方向）と直交する方向（Ｙ軸方向）にメインガイドシャフト１０８を完全に位置調整できず問題である。
【００１６】
そこで、光ピックアップを光ディスクの半径方向に案内するメインガイドシャフトとサブガイドシャフトのうちで、メインガイドシャフトの高さを寸法精度良く位置決めでき、且つ、メインガイドシャフトの一端側をメインガイドシャフトの長手方向と略直交する方向に確実に位置調整できる光ディスクドライブ装置が望まれている。
【課題を解決するための手段】
【００１７】
本発明は上記課題に鑑みてなされたものであり、請求項１記載の発明は、光ディスクを載置するためのターンテーブルをモータ軸に固着して回転駆動するスピンドルモータを支持したモータベースと、
前記光ディスクに情報信号を記録及び／又は再生するための光ピックアップと、
前記光ピックアップを長尺なメインガイドシャフトと該メインガイドシャフトに対して略平行なサブガイドシャフトとで案内しながら前記光ディスクの半径方向に移動させる駆動源を有するスレッド機構部と、
前記モータベースと前記スレッド機構部とを取り付けるメカシャーシとを備えた光ディスクドライブ装置において、
前記長尺なメインガイドシャフトは、一端側の外周面を前記モータベース上に当接させて前記一端側の高さを規制し、且つ、前記一端側の外周面を前記モータベース上に回転可能に植設した円錐面付きネジ部材の円錐面に当接させて板バネで該円錐面側に押圧しながら他端側を回動支点として前記一端側を前記メインガイドシャフトの長手方向と略直交し且つ前記モータベースの上面に沿う方向に位置調整すると共に、前記一端側を回動支点にして前記他端側を前記メインガイドシャフトの長手方向と略直交し且つ前記メカシャーシの上面及び前記モータベースの上面に対して接離する方向に高さ調整可能に支持したことを特徴とする光ディスクドライブ装置である。
【００１８】
また、請求項２記載の発明は、請求項１記載の光ディスクドライブ装置において、
前記長尺なメインガイドシャフトの一端側の高さを規制し、且つ、前記メインガイドシャフトの他端側を高さ調整する時の回動支点として機能するために断面が矩形状の凸部又は先端がＲ状のＲ部を前記モータベース上に突出形成したことを特徴とする光ディスクドライブ装置である。
【発明の効果】
【００１９】
本発明に係る光ディスクドライブ装置によると、光ディスク駆動用のスピンドルモータを支持したモータベースをメカシャーシに取り付け、且つ、光ピックアップを長尺なメインガイドシャフトと該メインガイドシャフトに対して略平行なサブガイドシャフトとで案内しながら光ディスクの半径方向に移動させる際、とくに、長尺なメインガイドシャフトは、一端側の外周面をモータベース上に当接させて一端側の高さを規制し、且つ、一端側の外周面をモータベース上に回転可能に植設した円錐面付きネジ部材の円錐面に当接させて板バネで該円錐面側に押圧しながら他端側を回動支点として一端側をメインガイドシャフトの長手方向と略直交し且つモータベースの上面に沿う方向に位置調整すると共に、一端側を回動支点にして他端側をメインガイドシャフトの長手方向と略直交し且つメカシャーシの上面及びモータベースの上面に対して接離する方向に高さ調整可能に支持したため、光ピックアップ内の対物レンズから３点ビームを光ディスクに照射した時に、光ピックアップ内の対物レンズが光ディスクの中心を通り且つ光ディスク上の信号トラックに接した接線と直交するＸ軸（図１１）に沿って従来例よりも正確に移動できるので、これにより３点ビームを使用した場合でもトラッキングのオフセットを防止することができるために、光ディスクに情報信号を良好に記録及び／又は再生することができる。
【発明を実施するための最良の形態】
【００２０】
以下に本発明に係る光ディスクドライブ装置の一実施例を図１〜図８を参照して詳細に説明する。
【実施例】
【００２１】
図１は本発明に係る光ディスクドライブ装置を上面側から見た斜視図、
図２は本発明に係る光ディスクドライブ装置を下面側から見た斜視図、
図３は本発明に係る光ディスクドライブ装置において、モータベースをメカシャーシに取り付ける状態を示した分解斜視図である。
【００２２】
図１及び図２に示した如く、本発明に係る光ディスクドライブ装置１０では、基台となるメカシャーシ１１が板金材を用いて前後の側面１１ａ，１１ｂと左右の側面１１ｃ，１１ｄとに囲まれて略矩形状に形成されている。また、メカシャーシ１１の上面１１ｅ上で左側面１１ｃ側には、不図示の光ディスクを搭載するためのターンテーブル１２をモータ軸１３ａに固着したスピンドルモータ１３が上方に向かって回転自在に設けられている。
【００２３】
この際、光ディスク回転駆動用のスピンドルモータ１３は、図３に示したように、メカシャーシ１１の下面１１ｆに所定の高さを持ったモータベース取り付け部材１４を介して３本のネジ１５を用いて取り付けたモータベース１６上に支持されている。また、モータベース１６の上面１６ａは、所定の高さを持ったモータベース取り付け部材１４を介してメカシャーシ１１の下面１１ｆに略平行に取り付けられている。
【００２４】
図１及び図２に戻り、メカシャーシ１１は、光ディスク回転駆動用のスピンドルモータ１３よりも右方に不図示の光ディスクに情報信号を記録及び／又は再生する光ピックアップ１７を臨ませるための第１開口部１１ｇが大きく肉抜きして形成されており、且つ、後側面１１ｂ側の左方に下記するスレッド機構部２０のフィードモータ２２を臨ませる第２開口部１１ｈが小さく肉抜きして形成されている。
【００２５】
上記したスレッド機構部２０は、光ピックアップ１７を後述する長尺なメインガイドシャフト２４と該メインガイドシャフト２４に対して略平行なサブガイドシャフト２５とで案内しながら不図示の光ディスクの半径方向に移動させる駆動源を有している。
【００２６】
より具体的に説明すると、図２に示した如く、スレッド機構部２０は、メカシャーシ１１の後側面１１ｂに沿って下面１１ｆに取り付けたブラケット２１の一端にフィードモータ２２が固着されており、このフィードモータ２２のモータ軸に取り付けた長尺なリードスクリユー２３がブラケット２１の他端に回転自在に支持されている。
【００２７】
そして、スレッド機構部２０に設けた長尺なリードスクリユー２３に光ピックアップ１７の一端側に一体的に取り付けたラック部１９が噛合することで、フィードモータ２２によって長尺なリードスクリユー２３が回転した時にラック部１９を介して光ピックアップ１７が不図示の光ディスクの半径方向に直線移動可能になっている。
【００２８】
また、上記した光ピックアップ１７は、内部上方部位にメインビームと２つのサブビームからなる３点ビームを不図示の光ディスクに照射するための対物レンズ１８（図１のみ図示）が取り付けられている。
【００２９】
更に、図１に示した如く、光ピックアップ１７は、スレッド機構部２０側で長尺なリードスクリユー２３と略平行に設けた長尺なメインガイドシャフト２４と、この長尺なメインガイドシャフト２４に対して間隔を離して略平行に設けたサブガイドシャフト２５とにより、不図示の光ディスクの半径方向に案内されている。
【００３０】
この際、光ピックアップ１７の一端側で間隔を持って一体的に突出形成した丸孔型の２つの軸受け部１７ａ，１７ｂを長尺なメインガイドシャフト２４に嵌合させると共に、光ピックアップ１７の他端側に一体的に突出形成したＵ字型の軸受け部１７ｃをサブガイドシャフト２５に嵌合させている。
【００３１】
ここで、本発明の要部を構成するメインガイドシャフト２４の一端側とサブガイドシャフト２５の一端側とをモータベース１６に支持させ、且つ、メインガイドシャフト２４の他端側とサブガイドシャフト２５の他端側とをメカシャーシ１１に支持させる具体例について図４〜図８を用いて以下説明する。
【００３２】
図４は本発明に係る光ディスクドライブ装置において、本発明の要部を構成するメインガイドシャフトの一端側とサブガイドシャフトの一端側とをモータベースに支持させ、且つ、メインガイドシャフトの他端側とサブガイドシャフトの他端側とをメカシャーシに支持させる状態を拡大して示した斜視図、
図５は本発明に係る光ディスクドライブ装置において、メインガイドシャフトの一端側をモータベース上で高さ方向に位置決めし、且つ、メインガイドシャフトの一端側を長手方向と略直交する方向に位置調整する状態を説明するための斜視図、
図６（ａ），（ｂ）は本発明に係る光ディスクドライブ装置において、メインガイドシャフトの一端側をモータベース上で高さ方向に位置決めし、且つ、メインガイドシャフトの一端側を長手方向と略直交する方向に位置調整する状態を説明するための上面図，側断面図、
図７（ａ），（ｂ）はメインガイドシャフトの一端側をモータベース上に突出形成した断面が矩形状の凸部又は先端がＲ状のＲ部に当接させた状態をそれぞれ示した側断面図、
図８は本発明に係る光ディスクドライブ装置において、本発明の要部を構成するメインガイドシャフトの一端側とサブガイドシャフトの一端側とをモータベースに支持させ、且つ、メインガイドシャフトの他端側とサブガイドシャフトの他端側とをメカシャーシに支持させた状態を示した斜視図である。
【００３３】
図４に拡大して示した如く、ターンテーブル１２をモータ軸１３ａに固着したスピンドルモータ１３は、前述したようにモータベース１６の上面１６ａ上に支持されているが、このモータベース１６はメインガイドシャフト２４と対応する側に第１折曲片１６ｂがメインガイドシャフト２４に対して略直角で上方に向かって略Ｌ字状に折り曲げ形成され、且つ、第１折曲片１６ｂ内に第１長孔１６ｂ１が貫通して穿設されており、この第１長孔１６ｂ１内にメインガイドシャフト２４が高さ方向に対して余裕を持つと共にメインガイドシャフト２４の長手方向と略直交する方向に対しても余裕を持って遊嵌されている。
【００３４】
また、モータベース１６はサブガイドシャフト２５と対応する側に第２折曲片１６ｃがサブガイドシャフト２５に対して略直角で上方に向かって略Ｌ字状に折り曲げ形成され、且つ、第２折曲片１６ｃ内に第２長孔１６ｃ１が貫通して穿設されており、この第２長孔１６ｃ１内にサブガイドシャフト２５が高さ方向に対してのみ余裕を持って遊嵌されている。
【００３５】
まず、メインガイドシャフト２４の一端２４ａ側をモータベース１６に折り曲げ形成した第１折曲片１６ｂの第１長孔１６ｂ１内でメインガイドシャフト２４の長手方向と略直交する方向及び高さ方向に対して遊嵌させた状態で、メインガイドシャフト２４の一端２４ａ側の外周面をモータベース１６の上面１６ａ上に突出形成した断面が矩形状の凸部１６ｄ（図５〜図７）又は先端がＲ状のＲ部１６ｅ（図５〜図７）上に当接させ、且つ、モータベース１６の上面１６ａ上でメインガイドシャフト２４の一端２４ａ側の近傍にネジ２６を用いて取り付けた板バネ２７によりメインガイドシャフト２４の一端２４ａ側の外周面をモータベース１６の上面１６ａ側に向かって押圧することで、メインガイドシャフト２４の一端２４ａ側の外周面がモータベース１６の上面１６ａ上に突出形成した凸部１６ｄ（図５〜図７）又はＲ部１６ｅ（図５〜図７）上で高さ方向に対して正確に位置規制された状態になる。
【００３６】
尚、モータベース１６の上面１６ａ上に突出形成した凸部１６ｄ（図５〜図７）又はＲ部１６ｅ（図５〜図７）については後で述べる。
【００３７】
また、モータベース１６上でここに折り曲げ形成した第１折曲片１６ｂの近傍には、円錐面付きネジ部材２８が回転可能に植設されており、この円錐面付きネジ部材２８は上記した板バネ２７に対してメインガイドシャフト２４を挟んだ反対側に設けられている。
【００３８】
上記した円錐面付きネジ部材２８は、図５に拡大して示した如く、モータベース１６に穿設したガイド孔１６ｆに螺合するシャフト部２８ａと、このシャフト部２８ａの上方に形成した円錐面２８ｂと、この円錐面２８ｂの上方に太径で形成したフランジ部２８ｃと、このフランジ部２８ｃの上方に細径で形成し且つメカシャーシ１１に形成したネジ孔１１ｉに嵌合されるネジ部２８ｄとで一体的に形成されている。
【００３９】
ここで、円錐面付きネジ部材２８に形成した円錐面２８ｂがメインガイドシャフト２４の一端２４ａ側の外周面に当接しており、且つ、モータベース１６の上面１６ａ上でメインガイドシャフト２４の一端２４ａ側の近傍に取り付けた板バネ２７によりメインガイドシャフト２４の一端２４ａ側の外周面を円錐面付きネジ部材２８の円錐面２８ｂ側に向かって押圧している。
【００４０】
この際、上記した板バネ２７は、モータベース１６の上面１６ａ上にネジ２６により固定される固定部２７ａと、この固定部２７ａから斜め上方に向かって折り曲げられてメインガイドシャフト２４の一端２４ａ側の外周面をモータベース１６の上面１６ａ側及び円錐面付きネジ部材２８の円錐面２８ｂ側に向かって押圧付勢するアーム状の押圧部２７ｂとで一体形成されている。
【００４１】
また、図６（ａ），（ｂ）及び図８に示したように、メインガイドシャフト２４の他端２４ｂ側はメカシャーシ１１の後側面１１ｂ側で下方に向かって略Ｌ字状に折り曲げ形成した第１折曲片１１ｍの第１Ｕ字孔１１ｍ１内に挿入されており、この第１Ｕ字孔１１ｍ１内でメインガイドシャフト２４の長手方向と略直交する方向に対して位置規制されているものの、高さ方向に対して余裕を持って遊嵌されていると共に、この第１Ｕ字孔１１ｍ１内の中心位置がメインガイドシャフト２４の一端２４ａ側を長手方向と略直交し且つモータベース１６の上面１６ａに沿う方向に位置調整する時の回動支点として機能しているので、言い換えると、メインガイドシャフト２４の他端２４ｂ側がメインガイドシャフト２４の一端２４ａ側をメインガイドシャフト２４の長手方向と略直交し且つモータベース１６の上面１６ａに沿う方向に位置調整する時の回動支点として機能している。
【００４２】
また、図６（ａ），（ｂ）に示したように、メインガイドシャフト２４の他端２４ｂは細径に形成されており、この他端２４ｂがメカシャーシ１１側に取り付けられるメインガイドシャフト保持部材２９の円筒部２９ａの外周から水平に突出した凸部２９ｂに形成した有底横孔２９ｂ１内に嵌合されている。
【００４３】
上記したメインガイドシャフト保持部材２９は、樹脂材を用いて円筒部２９ａと凸部２９ｂとが一体的に形成されており、且つ、円筒部２９ａの下方部位に形成した貫通孔２９ａ１の上方部位に円形凹孔２９ａ２が貫通孔２９ａ１よりも一回り大径に形成されており、円筒部２９ａの下方から両孔２９ａ１，２９ａ２内にネジ３０を挿入し、更に、円形凹孔２９ａ２内に挿入したネジ３０の外周とメカシャーシ１１との間に圧縮バネ３１を介装して、このネジ３０の先端をメカシャーシ１１に形成したネジ孔１１ｋに螺合させている。この際、メインガイドシャフト保持部材２９は、メインガイドシャフト２４の他端２４ｂ側でメカシャーシ１１に形成した第１Ｕ字孔１１ｍ１内の中心位置を回動支点にして僅かに回動できるように円筒部２９ａの下方部位に形成した貫通孔２９ａ１及びこの上方部位に形成した円形凹孔２９ａ２がネジ３０に対して寸法的に余裕を持っている。
【００４４】
そして、メインガイドシャフト保持部材２９に挿入したネジ３０を回転させると、圧縮バネ３１の付勢力に抗しながらメインガイドシャフト保持部材２９が上下動するので、メインガイドシャフト保持部材２９の凸部２９ｂに形成した有底横孔２９ｂ１内に嵌合されているメインガイドシャフト２４の他端２４ｂ側がメインガイドシャフト２４の一端２４ａ側の外周面に当接しているモータベース１６の凸部１６ｄ又はＲ部１６ｅを回動支点として上下できる。
【００４５】
この際、図７（ａ）に示したように、モータベース１６の上面１６ａ上に突出形成した断面が矩形状の凸部１６ｄにメインガイドシャフト２４の一端２４ａ側を当接させる場合には、凸部１６ｄに対してメインガイドシャフト２４の長手方向の幅Ｂをなるべく短くして当接面積を小さくし、且つ、凸部１６ｄの高さと平坦度とを精度良く作製することで、メインガイドシャフト２４の一端２４ａ側を凸部１６ｄで正確に高さ規制でき、更に、この凸部１６ｄを回動支点にしてメインガイドシャフト２４の他端２４ｂ側をメインガイドシャフト２４の長手方向と略直交し且つメカシャーシ１１の上面１１ｅ及びモータベース１６の上面１６ａに対して接離する方向に高さ調整することができる。
【００４６】
一方、図７（ｂ）に示したように、モータベース１６の上面１６ａ上に突出形成した先端がＲ状のＲ部１６ｅにメインガイドシャフト２４の一端２４ａ側を当接させる場合には、Ｒ部１６ｅの高さを精度良く作製することで、メインガイドシャフト２４の一端２４ａ側をＲ部１６ｅで正確に高さ規制でき、更に、このＲ部１６ｅを回動支点にしてメインガイドシャフト２４の他端２４ｂ側をメインガイドシャフト２４の長手方向と略直交し且つメカシャーシ１１の上面１１ｅ及びモータベース１６の上面１６ａに対して接離する方向に高さ調整することができる。
【００４７】
再び図６（ａ），（ｂ）に戻り、偏芯のある不図示の光ディスクを回転させて光ピックアップ１７（図１）により再生したトラッキング信号を見ながら前記した円錐面付きネジ部材２８を回転させることにより、メインガイドシャフト２４の一端２４ａ側の外周面に当接している円錐面２８ｂが高さ方向に上下動するのでこの円錐面２８ｂの径が可変されるために、メインガイドシャフト２４の他端２４ｂ側を回動支点にしてメインガイドシャフト２４の一端２４ａ側をメインガイドシャフト２４の長手方向と略直交し且つモータベース１６の上面１６ａに沿う方向に調整可能になっている。
【００４８】
より具体的には、図６（ａ）に示したように、円錐面付きネジ部材２８の円錐面２８ｂの径が小径部位でメインガイドシャフト２４の一端２４ａ側の外周面に当接した場合には、メインガイドシャフト２４の他端２４ｂが嵌合されているメカシャーシ１１に折り曲げ形成した第１折曲片１１ｍの第１Ｕ字孔１１ｍ１内の中心位置を回動支点として一端２４ａ側の外周面が板バネ２７に押されながらＧ１の位置まで変位する。また、円錐面付きネジ部材２８の円錐面２８ｂの径が中径部位でメインガイドシャフト２４の一端２４ａ側の外周面に当接した場合には、一端２４ａ側の外周面が板バネ２７に押されながらＧ２の位置まで変位する。更に、円錐面付きネジ部材２８の円錐面２８ｂの径が大径部位でメインガイドシャフト２４の一端２４ａ側の外周面に当接した場合には、一端２４ａ側の外周面が板バネ２７に押されながらＧ３の位置まで変位する。従って、円錐面付きネジ部材２８の円錐面２８ｂと板バネ２７とにより、メインガイドシャフト２４の一端２４ａ側を他端２４ｂ側を回動支点としてメインガイドシャフト２４の長手方向と略直交し且つモータベース１６の上面１６ａに沿う方向に調整可能になる。
【００４９】
上記より、メインガイドシャフト２４の他端２４ｂ側を回動支点として一端２４ａ側をメインガイドシャフト２４の長手方向と略直交し且つモータベース１６の上面１６ａに沿う方向に調整する位置調整と、メインガイドシャフト２４の一端２４ａ側を回動支点として他端２４ｂ側をメインガイドシャフト２４の長手方向と略直交し且つメカシャーシ１１の上面１１ｅ及びモータベース１６の上面１６ａに対して接離する方向に高さ調整する高さ調整との組み合わせにより、メインガイドシャフト２４の位置が精度良く得られる。
【００５０】
次に、サブガイドシャフト２５は、前述したように光ピックアップ１７の他端側に一体的に突出形成したＵ字型の軸受け部１７ｃに嵌合しているので、高さ方向以外の長手方向と略直交する方向に対しては位置調整する必要がないために、高さ方向の調整だけを行えば良い。従って、サブガイドシャフト２５は、先の図４に示したように、一端２５ａ側をモータベース１６に折り曲げ形成した第２折曲片１６ｃの第２長孔１６ｃ１内で高さ方向に対してのみ遊嵌させ、且つ、図８に示したように、他端２５ｂ側をメカシャーシ１１の前側面１１ａ側で下方に向かって略Ｌ字状に折り曲げ形成した第２折曲片１１ｎの第２Ｕ字孔１１ｎ１内に挿入されており、この第２Ｕ字孔１１ｎ１内でメインガイドシャフト２４の長手方向と略直交する方向に対して位置規制されているものの、高さ方向に対して余裕を持って遊嵌されている。
【００５１】
また、サブガイドシャフト２５は、先の図４に示したように、一端２５ａ及び他端２５ｂが細径に形成されており、且つ、一端２５ａ及び他端２５ｂがメカシャーシ１１の下面１１ｆにそれぞれ植設したフランジ付きネジ部材３２，３３に形成した各フランジ部平坦面３２ａ，３３ａに当接していると共に、このサブガイドシャフト２５に沿って取り付けた板バネ３４によって一端２５ａ側及び他端２５ｂ側の各外周面を下方に押圧している。
【００５２】
そして、フランジ付きネジ部材３２，３３をそれぞれ独立して回転させることにより、サブガイドシャフト２５の一端２５ａ及び他端２５ｂが当接している各フランジ部平坦面３２ａ，３３ａが高さ方向に上下動するので、サブガイドシャフト２５の一端２５ａ及び他端２５ｂをそれぞれ独立して高さ方向に調整可能になっている。
【００５３】
以上詳述したように、本発明に係る光ディスクドライブ装置１０によると、光ディスク回転駆動用のスピンドルモータ１３を支持したモータベース１６をメカシャーシ１１に取り付け、且つ、光ピックアップ１７を長尺なメインガイドシャフト２４と該メインガイドシャフト２４に対して略平行なサブガイドシャフト２５とで案内しながら光ディスクの半径方向に移動させる際、とくに、長尺なメインガイドシャフト２４は、一端２４ａ側の外周面をモータベース１６上に当接させて一端２４ａ側の高さを規制し、且つ、一端２４ａ側の外周面をモータベース１６上に回転可能に植設した円錐面付きネジ部材２８の円錐面２８ｂに当接させて板バネ２７で該円錐面２８ｂ側に押圧しながら他端２４ｂ側を回動支点として一端側をメインガイドシャフト２４の長手方向と略直交と且つモータベース１６の上面１６ａに沿う方向に位置調整すると共に、一端２４ａ側を回動支点にして他端２４ｂ側をメインガイドシャフト２４の長手方向と略直交し且つメカシャーシ１１の上面１１ｅ及びモータベース１６の上面１６ａに対して接離する方向に高さ調整可能に支持したため、光ピックアップ１７内の対物レンズ１８から３点ビームを光ディスクに照射した時に、光ピックアップ１７内の対物レンズ１８が光ディスクの中心を通り且つ光ディスク上の信号トラックに接した接線と直交するＸ軸（図１１）に沿って従来例よりも正確に移動できるので、これにより３点ビームを使用した場合でもトラッキングのオフセットを防止することができるために、光ディスクに情報信号を良好に記録及び／又は再生することができる。
【００５４】
更に、長尺なメインガメイドシャフト２４の他端２４ｂ側をメカシャーシ１１に高さ調整可能に支持する共に、メインガメイドシャフト２４に対して略平行なサブガイドシャフト２５の一端２５ａ側をモータベース１６に高さ調整可能に支持し、且つ、サブガイドシャフト２５の他端２５ａｂ側をメカシャーシ１１に高さ調整可能に支持しているので、光ディスクに対してトラック半径方向のチルト調整を行うことができる。
【図面の簡単な説明】
【００５５】
【図１】本発明に係る光ディスクドライブ装置を上面側から見た斜視図である。
【図２】本発明に係る光ディスクドライブ装置を下面側から見た斜視図である。
【図３】本発明に係る光ディスクドライブ装置において、モータベースをメカシャーシに取り付ける状態を示した分解斜視図である。
【図４】本発明に係る光ディスクドライブ装置において、本発明の要部を構成するメインガイドシャフトの一端側とサブガイドシャフトの一端側とをモータベースに支持させ、且つ、メインガイドシャフトの他端側とサブガイドシャフトの他端側とをメカシャーシに支持させる状態を拡大して示した斜視図である。
【図５】本発明に係る光ディスクドライブ装置において、メインガイドシャフトの一端側をモータベース上で高さ方向に位置決めし、且つ、メインガイドシャフトの一端側を長手方向と略直交する方向に位置調整する状態を説明するための斜視図である。
【図６】（ａ），（ｂ）は本発明に係る光ディスクドライブ装置において、メインガイドシャフトの一端側をモータベース上で高さ方向に位置決めし、且つ、メインガイドシャフトの一端側を長手方向と略直交する方向に位置調整する状態を説明するための上面図，側断面図である。
【図７】（ａ），（ｂ）はメインガイドシャフトの一端側をモータベース上に突出形成した断面が矩形状の凸部又は先端がＲ状のＲ部に当接させた状態をそれぞれ示した側断面図である。
【図８】本発明に係る光ディスクドライブ装置において、本発明の要部を構成するメインガイドシャフトの一端側とサブガイドシャフトの一端側とをモータベースに支持させ、且つ、メインガイドシャフトの他端側とサブガイドシャフトの他端側とをメカシャーシに支持させた状態を示した斜視図である。
【図９】従来のディスク装置を示した平面図である。
【図１０】従来のディスク装置において、光ディスク回転駆動用のスピンドルモータを支持したモータベース近傍を拡大して示した縦断面図である。
【図１１】従来のディスク装置において、光ピックアップの対物レンズから出射させた３点ビームが基準位置に位置する状態を説明するための図である。
【符号の説明】
【００５６】
１０…光ディスクドライブ装置、
１１…メカシャーシ、１１ｅ…上面、１２…ターンテーブル、
１３…スピンドルモータ、１３ａ…モータ軸、
１４…モータベース取り付け部材、１６…モータベース、１６ａ…上面、
１７…光ピックアップ、１８…対物レンズ、１９…ラック部、
２０…スレッド機構部、
２１…ブラケット、２２…フィードモータ、２３…リードスクリユー、
２４…メインガイドシャフト、２４ａ…一端、２４ｂ…他端、
２５…サブガイドシャフト、２５ａ…一端、２５ｂ…他端、
２７…板バネ、２８…円錐面付きネジ部材、２８ｂ…円錐面、２８ｄ…ネジ部、
２９…メインガイドシャフト保持部材、３０…ネジ、３１…圧縮バネ、
３２…フランジ付きネジ部材、３２ａ…フランジ部平坦面、
３３…フランジ付きネジ部材、３３ａ…フランジ部平坦面、
３４…板バネ。
【図１】
2006286127.tif 000003
【図２】
2006286127.tif 000004
【図３】
2006286127.tif 000005
【図４】
2006286127.tif 000006
【図５】
2006286127.tif 000007
【図６】
2006286127.tif 000008
【図７】
2006286127.tif 000009
【図８】
2006286127.tif 000010
【図９】
2006286127.tif 000011
【図１０】
2006286127.tif 000012
【図１１】
2006286127.tif 000013